(57)【要約】【課題】住宅内環境の悪化を防止して、住宅内環境の維持・浄化を行うべく、主に、屋外から住宅内に取り入れられる空気に含まれる大気汚染物質（有害物質）を除去する住宅内換気システムを提供することを課題とする。【解決手段】一階床下空間２と、一階床下空間を形成する側壁に設けられる外気導入口１０と、放出口１１を備えた屋根裏空間３と、一階床下空間２上で上下階を貫通して屋根裏空間３に連通する竪穴部４と、一階床に設けられる給気口１２と、竪穴部４に連通する排気口１３を備える一階居室５と、竪穴部４に連通する給気口１４と、屋根裏空間３に連通する排気口１５を備える二階居室６と、を備える住宅内換気システムであって、一階床下空間２に、導入される外気を通過させる多孔質吸着材が充填された外気浄化部８を配置する。【選択図】  図１
2004353216.tif 000002
【特許請求の範囲】
【請求項１】
一階床下空間と、
前記一階床下空間を形成する側壁に設けられる外気導入口と、
放出口を備えた屋根裏空間と、
前記一階床下空間上で上下階を貫通して前記屋根裏空間に連通する竪穴部と、
一階床に設けられる給気口と、前記竪穴部に連通する排気口を備える一階居室と、
前記竪穴部に連通する給気口と、前記屋根裏空間に連通する排気口を備える二階以上居室と、
を備える住宅内換気システムであって、
前記一階床下空間に、導入される外気を通過させる多孔質吸着材が充填された外気浄化部を配置することを特徴とする住宅内換気システム。
【請求項２】
前記外気導入口は、前記一階床下空間と屋外を連通し、前記一階居室の給気口は、前記一階居室と前記一階床下空間を連通し、前記外気浄化部は、前記一階居室の前記給気口を覆っていることを特徴とする請求項１に記載の住宅内換気システム。
【請求項３】
前記外気導入口から導入された外気を暖める加熱手段を前記一階床下空間に設けたことを特徴とする請求項２に記載の住宅内換気システム。
【請求項４】
前記外気浄化部は、前記外気導入口と配管接続されているとともに、前記一階居室の前記給気口と配管接続されていることを特徴とする請求項１に記載の住宅内換気システム。
【請求項５】
前記外気導入口から導入された外気を暖める加熱手段を前記外気浄化部内に設けたことを特徴とする請求項４に記載の住宅内換気システム。
【請求項６】
前記一階居室又は前記二階以上居室は間仕切りにより仕切られており、前記間仕切りには、これで仕切られた居室同士を連通する連通孔が設けられていることを特徴とする請求項１から請求項５のいずれか１項に記載の住宅内換気システム。
【請求項７】
前記外気を住宅内に強制的に導入する送気手段を設けたことを特徴とする請求項１から請求項６のいずれか１項に記載の住宅内換気システム。
【発明の詳細な説明】
【０００１】
【発明の属する技術分野】
本発明は、住宅内換気システムに関し、詳しくは、住宅内に浄化処理後の空気を供給することで住宅内環境の維持・浄化を達成する住宅内換気システムに関するものである。
【０００２】
【従来の技術】
近年の住宅の高気密化の発展は、冷暖房効率の向上をもたらす一方で、換気不足に起因する住宅内環境の悪化という問題をもたらしている。
この住宅内環境の悪化によって、壁紙や合板の接着剤等に含まれる化学物質を主要因として発症するシックハウス症候群が問題になっている。そこで、このシックハウス症候群の原因物質である揮発性化学物質を除去するために、木炭などの吸着特性を利用する様々な方法が提案されている（例えば、特許文献１又は特許文献２）。
【０００３】
特許文献１では、例えば、１）建物の外気に面する壁、天井、床に木炭シートを貼ったり、２）住宅内の空気を通流させる空調設備の配管の途中に木炭層を設けたり、３）住宅のビニールクロス等の内装材、接着材、塗料などに木炭の微細粉末を混入したりする方法が開示されている。木炭シート等は、揮発性化学物質を吸着するので、揮発性化学物質の住宅内での揮発・拡散を防止できる。
【０００４】
また、特許文献２では、住宅内の空気を通流させる空調設備のダクトの内面に木炭粉を含む塗装皮膜の層を形成する方法が開示されている。木炭粉を含む塗装皮膜の層は、ダクトを通過する空気中のアンモニア、ホルムアルデヒド等の揮発性化学物質を吸着して、住宅内での揮発・拡散を防止できる。
【０００５】
【特許文献１】
特開平１１−２００６４６号公報（［００２８］〜［００２９］、［００３５］〜［００３６］、図１参照）
【特許文献２】
特開２００１−２４８８８６号公報（［００１６］〜［００１８］、図１、図６参照）
【０００６】
【発明が解決しようとする課題】
しかし、これらの発明は、住宅内で発生する揮発性化学物質の除去を念頭に置きなされたものであり、住宅外部から侵入する有害物質については対策が万全とはいえなかった。
【０００７】
特に近年、都市環境の悪化により、空気中には、様々な大気汚染物質（有害物質）、例えば、二酸化硫黄、窒素酸化物、一酸化炭素、浮遊粒子状物質が含まれることとなり、その含有量は増大の一途をたどっている。
【０００８】
このような状況の下、窓を開けて換気を行うと、有害物質を住宅内に引き入れる結果となり好ましくないが、窓を閉めきりにするわけにもいかない。
また、一般住宅の場合、自然対流現象により住宅内の空気の入れ換えが行われるので、窓を閉めきりにしたとしても、屋外から大気汚染物質（有害物質）などを含む空気が、徐々に住宅内に引き入れられることとなってしまう。
その結果、住宅内環境の悪化が進行することとなり、住人の健康に悪影響を及ぼす懸念が生じている。
【０００９】
そこで、本発明は、住宅内環境の悪化を防止して、住宅内環境の維持・浄化を行うべく、主に、屋外から住宅内に取り入れられる空気に含まれる大気汚染物質（有害物質）を除去する住宅内換気システムを提供することを課題とする。
【００１０】
【課題を解決するための手段】
本発明は、前記課題を解決すべく構成されるものであり、請求項１に記載の発明は、一階床下空間と、前記一階床下空間を形成する側壁に設けられる外気導入口と、放出口を備えた屋根裏空間と、前記一階床下空間上で上下階を貫通して前記屋根裏空間に連通する竪穴部と、一階床に設けられる給気口と、前記竪穴部に連通する排気口を備える一階居室と、前記竪穴部に連通する給気口と、前記屋根裏空間に連通する排気口を備える二階以上居室と、を備える住宅内換気システムであって、前記一階床下空間に、導入される外気を通過させる多孔質吸着材が充填された外気浄化部を配置することを特徴とする。
【００１１】
かかる構成によると、外気導入口から住宅内に導入された外気は、多孔質吸着材が充填された外気浄化部を通過した後、浄化された空気として、給気口から一階居室内に供給され、排出口から竪穴部に排出される。また、竪穴部に排出された空気は、二階以上居室に導入されたりしながら、最終的には屋根裏空間に導かれて屋外に排出される。多孔質吸着材は、外気に含まれる有害物質を吸着するので、居室内にはクリーンな空気が供給される。また、多孔質吸着材は湿度を調節する機能もあるので、居室内の結露やカビの発生を防止することもできる。そして、外気浄化部を一階床下空間に配置することで、雨水等に濡らすことなく、かつ、一階床下空間内の不要なスペースを有効活用することができる。
なお、「一階床下空間を形成する側壁」とは、基礎の立ち上がり部や土台などを指す。また、「二階以上居室」とは、一階居室でない居室のことを意味し、三階や四階に形成される居室を含む。「居室」とは、居間、寝室等の居住空間のみならず、玄関、廊下、階段、洗面室、便所、物入れ等を含む住宅内のあらゆる空間を指す。
【００１２】
請求項２に記載の発明は、請求項１に記載の住宅内換気システムにおいて、前記外気導入口は、前記一階床下空間と屋外を連通し、前記一階居室の給気口は、前記一階居室と前記一階床下空間を連通し、前記外気浄化部は、前記一階居室の前記給気口を覆っていることを特徴とする。
【００１３】
かかる構成によると、外気導入口から一階床下空間に導入された外気は、多孔質吸着材が充填された外気浄化部を通過した後、浄化された空気として、給気口から一階居室に供給される。多孔質吸着材は、外気に含まれる有害物質を吸着するので、居室内には確実にクリーンな空気が供給される。また、外気浄化部は、給気口を覆うように配置すればよいので、簡単な構成で、取り付けを容易に行うことができる。
【００１４】
請求項３に記載の発明は、請求項２に記載の住宅内換気システムにおいて、前記外気導入口から導入された外気を暖める加熱手段を前記一階床下空間に設けたことを特徴とする。
【００１５】
かかる構成によると、一階床下空間内で加熱手段により暖められた外気は膨張し、軽くなって、住宅内を上昇していく。そのため、住宅内での上向きの気流の発生を促し、住宅内の換気をより効果的に促進する。さらに、冬季では住宅内の暖房の補助となる。
【００１６】
請求項４に記載の発明は、請求項１に記載の住宅内換気システムにおいて、前記外気浄化部は、前記外気導入口と配管接続されているとともに、前記一階居室の前記給気口と配管接続されていることを特徴とする。
【００１７】
かかる構成によると、外気は、外気導入口から外気浄化部に配管を介して導入され、その後は、浄化された空気として、配管を介して給気口から一階居室に供給される。つまり、外気は、浄化された空気として一階居室に供給されるまでの間、一階床下空間内の空気や一階床下空間を形成する木質部等に直接接することはない。そのため、一階床下空間内における空気の新たな汚染を防止して、クリーンな空気を一階居室に供給できる。
【００１８】
請求項５に記載の発明は、請求項４に記載の住宅内換気システムにおいて、前記外気導入口から導入された外気を暖める加熱手段を前記外気浄化部内に設けたことを特徴とする。
【００１９】
かかる構成によると、外気浄化部内で加熱手段により暖められた外気は膨張し、軽くなって、住宅内を上昇していく。そのため、住宅内での上向きの気流の発生を促し、住宅内の換気をより効果的に促進する。さらに、冬季では住宅内の暖房の補助となる。
【００２０】
請求項６に記載の発明は、請求項１から請求項５のいずれか１項に記載の住宅内換気システムにおいて、前記一階居室又は前記二階以上居室は間仕切りにより仕切られており、前記間仕切りには、これで仕切られた居室同士を連通する連通孔が設けられていることを特徴とする。
【００２１】
かかる構成によると、竪穴部に隣接していない位置の居室であっても、他の居室を介して空気を竪穴部に排出し、又は、竪穴部から導入することができる。
【００２２】
請求項７に記載の発明は、請求項１から請求項６のいずれか１項に記載の住宅内換気システムにおいて、前記外気を住宅内に強制的に導入する送気手段を設けたことを特徴とする。
【００２３】
かかる構成によると、確実に外気を住宅内に導入できる。そのため、自然対流を利用した場合と比べて、住宅内を効率的に換気することができ、住宅内環境の維持・浄化を図ることができる。なお、請求項４に記載の住宅内換気システムにおいては、外気導入口と外気浄化部の間に設けられる配管に設けることが好ましい。外気の通流通路において、外気浄化部の前に送気手段があることで、外気を導入しやすくなるからである。
【００２４】
【発明の実施の形態】
以下、本発明に係る住宅内換気システムの実施の形態を、適宜図面を参照しながら詳細に説明する。
なお、実施形態の説明において、同一の構成要素に関しては同一の符号を付し、重複した説明は省略するものとする。
【００２５】
〔第１の実施の形態〕
まず、本発明の第１の実施の形態に係る住宅内換気システムについて、図１を参照して説明する。参照する図面において、図１は、第１の実施の形態に係る住宅内換気システムを備えた住宅の概略構成図である。
【００２６】
図１に示すように、住宅内換気システムを備えた住宅（以下、「住宅」という）１は、一階床下空間２と、導入した外気を屋根裏空間３に導く通流経路を形成する竪穴部４と、竪穴部３に隣接する一階居室５及び二階居室６と、外気を導入するための外気導入口１０を主に備えている。なお、「二階居室」は、［特許請求の範囲］の「二階以上居室」に相当する。
【００２７】
一階床下空間２を形成する側壁には、外気導入口１０が貫通して設けられている。外気導入口１０から一階床下空間２に導入された外気は、後記する外気浄化部８を通過することで、浄化された空気として一階居室５内に導入される。
【００２８】
竪穴部４は、一階床下空間２の上に、一階と二階を貫通して屋根裏空間３に連通する空間である。例えば、階段室、吹き抜け、縦方向のダクト、又は、寒冷地向け住宅における換気筒が挙げられる。
屋根裏空間３は、竪穴部４や二階居室６から集められた空気を最終的に屋外に排出するための放出口１１を有している。また、放出口１１にはダクト１１ａが設けられ、空気を集められるようになっている。
【００２９】
一階居室５には、一階床下空間２に連通する給気口１２と、竪穴部４に連通する排気口１３が設けられており、給気口１２は外気浄化部８で覆われている。また、二階居室６には、竪穴部４に連通する給気口１４と屋根裏空間に連通する排気口１５が設けられている。このように、それぞれの空間を連通させることで、空気の通流経路を確保できる。
【００３０】
また、一階居室５（又は二階居室６）を、間仕切り７で仕切って、一階居室５ａ，５ｂ（又は、二階居室６ａ，６ｂ）を形成することもできる。この場合、一階居室５ａ，５ｂにはそれぞれ給気口１２を、二階居室６ａ，６ｂにはそれぞれ排気口１５を、さらに、各間仕切り７に連通孔７ａを設けて、一階居室５ａ，５ｂ及び二階居室６ａ，６ｂに空気の通流経路を確保する。
なお、竪穴部４に連通する排気口１３や給気口１４、又は、連通孔７ａには、ドアのアンダーカット等を利用することができる。
【００３１】
図２は、外気浄化部の概略斜視図である。
図２に示すように、外気浄化部８は、不織布からなる略長方体状の風袋８ａが複数連なって構成されており、この風袋８ａの中に多孔質吸着材８ｂが充填されている。給気口１２の面積に応じて、この風袋８ａを縦横に繋げてゆくことで、給気口１２を覆うように外気浄化部８を設けることができる。
【００３２】
本実施形態では、この外気浄化部８を、一階床下空間２内に導入された外気が通過して一階居室５内に到達するように構成されている。そのため、不織布の目の大きさは、一階床下空間２内の外気が効率よく通過できるように、かつ、多孔質吸着材８ｂがこぼれ落ちることのない程度になっている。なお、風袋８ａを構成する材料は、不織布のように通気性、耐久性、加工性に優れる材料であれば、適宜代用可能である。また、風袋８ａの形状・大きさも特に限定されるものではなく、適宜変更可能である。さらに、外気が浄化処理部８を複数回通過するように、浄化処理部８を上下方向に複数設けた構成とすることも可能である。こうすることで、より浄化された空気が一階居室５内等に供給される。
【００３３】
図３は、外気浄化部の給気口への取付例である。
図３に示すように、風袋８ａは、床根太の側面にステープル等で固定される。但し、風袋８ａの取付態様は特に限定されるものではなく、風袋８ａを床板の下面に直接固定してもよいし、外気浄化部８を板状に成形し、これを床板の下面に直接取り付けるようにしてもよい。
【００３４】
多孔質吸着材８ｂは、比表面積（１グラムあたりの表面積）が大きく、吸着性能に優れる多孔質材料である。多孔質吸着材８ｂには、竹炭が好適に用いられる。但し、多孔質吸着材８ｂは特に限定されるものではなく、例えば、木炭、活性炭、ゼオライトも用いることができる。
なお、本実施の形態では、多孔質吸着材８ｂとして竹炭の使用を推奨するので、まず、竹炭について説明し、次に、木炭、活性炭について説明する。
【００３５】
＜竹炭＞
竹炭には、内部に無数の孔が形成されている。これらの孔はハニカム（蜂の巣）形状の管であり、全て外部に通じている。ハニカム形状の管の径は、大小様々であり、具体的には、１０００万分の１ミリ単位のものから１０００分の１ミリ単位のものまでが混在した状態で存在している。
【００３６】
そのため、竹炭は、比表面積が３００ｍ２以上であり、吸着力は５０〜６０ｇ／ｍ２である。備長炭と比較すると、比表面積が２倍、吸着力が１０倍あるといわれ、竹炭の吸着力は非常に大きい。
【００３７】
また、竹炭のすべての孔は外界に通じており、空気や水のみならず栄養分をも外部から孔内に取り入れることが可能であるので、孔の内部には微生物が容易に増殖できる環境が形成されている。実際に、径の大きな孔には糸状菌、小さな孔には放線菌、もっと微細な間隙にはバクテリア類、というように様々な菌が棲み分けるようにして、着生していることが知られている。
【００３８】
このような特徴を有する竹炭を多孔質吸着材７ｂとして利用すると、以下のような作用・効果が得られる。
【００３９】
（有害物質の除去）
竹炭の孔の表面には、微生物が着生して微生物膜が形成されているので、竹炭の外周や孔内を通過する水分や外気に含まれる不純物が、この微生物膜に吸着され、分解される。ここで、不純物とは、例えば、においの原因となる有機物や、様々な有害化学物質や大気汚染物質などの有害物質をいう。
【００４０】
よって、有害物質が除去された空気が住宅内に供給され、住宅内環境の維持・向上が図れる。特に、竹炭は、アンモニア系（臭気成分）を吸着し易く、ペットのにおいやたばこの煙などもよく吸着するので、空気の通流経路である排気口１３，１５、給気口１４等に配置して、効率よく住宅内の空気の浄化を行うこともできる。
【００４１】
（湿度調節機能）
竹炭は、ハニカム構造を有しているので、梅雨時などのように湿度が高い時には、空気中の水分をハニカム構造内に吸収し、逆に冬のように湿度が低い時には、ハニカム構造内に吸収した水分を放出する。
【００４２】
よって、竹炭を床下空間に配置すると、竹炭が優れた湿度調節機能を発揮して、床下の湿度をコントロールでき、結露やカビの発生を防止することができる。そのため、木造住宅の場合、耐久性を高め、メンテナンス費用を大幅に削減できるとともに、床下の結露・カビが原因で発生するシロアリを効果的に防止することができる。
さらに、竹炭の場合、人体に対する毒性がなく、安価に供給可能であり、しかも効果が半永久的に持続するので、カビやシロアリの発生を予防するために従来用いられてきた薬剤よりも好ましい。
【００４３】
なお、竹炭を実際に敷きつめて床下の湿度変化を実際に測定したところ、床下の湿度は、夏季で約５％、冬季で約１０％低くなり、最も湿度の高くなる梅雨時でも、９５％以上に到達しなかった。さらに、床下のカビの発生も確認されなかった。
【００４４】
（耐久性）
竹炭の吸着性能は、孔に着生する微生物による化学的吸着であるので、経時的な影響を受けない。これに対して活性炭の吸着性能は、その表面積の大きさによる物理的な吸着に起因するものであり、経時的に吸着性能が失われてしまう。そのため、賦活処理が適宜必要であり手間がかかる。
【００４５】
よって、竹炭は、吸着力の点で活性炭に劣る（活性炭の場合、１グラムあたり８００ｍ２以上）ものの、活性炭のように賦活処理を必要としないので、半永久的に使用することができる。
【００４６】
（電磁波の防止）
竹炭は、ほぼ総てが炭素で構成されるので、導電性・蓄電性に優れている。よって、雷を避雷針で防ぐ原理と同じくして電磁波を吸収する。よって、近年問題となっている住宅内の電磁波に起因する人体への影響を緩和することが可能となる。
【００４７】
（コストパフォーマンス）
また、竹炭は比表面積が大きいので、木炭を使用する場合に比べて、使用量が半分で済み（木炭は、一坪あたり５０ｋｇが目安）、経済的である。
【００４８】
（その他の効果）
このような特性の他に、竹炭には、珪酸・カリウム等のミネラル補給機能や、遠赤外線効果、癒し効果などがあることが知られている。
【００４９】
以上説明したような作用・効果を有する竹炭は、本実施の形態における多孔質吸着材８ｂとして好適である。なお、８００度の温度で炭化された竹炭は、前記した特性をよりよく発揮する。
【００５０】
＜木炭＞
木炭もまた、竹炭と同様の性質を有する。
木炭の作製に好適に使用される木材としては、ウバメガシ、カシ、ナラ、クヌギ、クリなどの広葉樹から、カラマツ、スギ、ヒノキなどの針葉樹まで、炭の原料として用いられる様々な木材が使用可能である。
炭化方法も、従来公知の方法が種々適用可能であり、炭化の進行度もまた、４００〜５００度で炭化させて得られる低温炭化木炭、６００〜７００度で炭化させて得られる中温炭化木炭、１０００度前後で炭化させて得られる高温炭化木炭など、任意のものが利用できる。
【００５１】
＜活性炭＞
活性炭もまた、竹炭と同様の性質を有する。
活性炭は、石炭やヤシ殻などの炭素物質を原料として、高温でガスや薬品と反応させて作られる微細孔を持つ炭素である。
例えば、粉末活性炭の場合、オガ屑、硬質の木材チップ、木炭（素灰）、草炭（ピート）などから、粒状活性炭の場合、木炭、ヤシ殻炭、石炭（亜灰、褐炭、瀝青炭、無煙炭など）、オイルカーボン、フェノール樹脂等から、繊維状活性炭の場合、レーヨン、アクリロニトリル、石炭ピッチ、石油ピッチ、フェノール樹脂等から作製可能である。
【００５２】
以下、図面を参照しながら、本実施の形態における住宅内換気システムにおける空気の一連の流れを説明する。
【００５３】
一般に、空気は暖められると膨張して自然と上昇してゆく（自然対流現象）。従って、本実施の形態に係る住宅内換気システムを備えた住宅１の一階床下空間２内に導かれた外気は、この一階床下空間２内で暖められて、上昇気流を発生させる。そのため、住宅１内に供給される空気は上昇し、屋根裏空間３を介して住宅１の外に放出される。
【００５４】
まず、外気導入口１０を通過し、一階床下空間２内に導入された外気は、住宅１内の自然対流現象により上昇し、一階床下空間２内を、給気口１２に向けて移動する。給気口１２は、外気浄化部８で覆われているため、上昇した外気は、外気浄化部８内に侵入する。
【００５５】
この外気浄化部８には、多孔質吸着材８ｂである竹炭が充填されているので、外気浄化部８に侵入した外気は、竹炭の外周や竹炭のハニカム構造の管内を通過する。この際、前述した竹炭の効果により、外気内の不純物等の吸着除去や、その他の好適な処理が外気に施される。
そして、外気から不純物などが吸着除去された後の空気が、外気浄化部８から給気口１２を経て、一階居室５へ供給される。
【００５６】
一階居室５に供給された空気は、通流経路に沿って、排気口１３を介して竪穴部４内に排出される。なお、一階居室５を間仕切り７で居室５ａ，５ｂに仕切った場合は、竪穴部４に隣接しない一階居室５ｂに供給された空気は、間仕切り７の連通孔７ａを通じて一階居室５ａに排気された後、竪穴部４内に排出される。
【００５７】
竪穴部４内では、屋根裏空間３に向けて上昇気流が発生している。そのため、竪穴部４に排出された空気は、屋根裏空間３に向けて上昇するが、一部は、通流経路の途中に設けられる給気口１４から二階居室６内に供給される。なお、二階居室６を間仕切り７で二階居室６ａ，６ｂに仕切った場合は、まず、竪穴部４に隣接する二階居室６ａに供給された空気が、間仕切り７の連通孔７ａを介して、竪穴部４に隣接しない二階居室６ｂへ供給される。
【００５８】
そして、二階居室６，６ａ，６ｂに供給された空気は、排気口１５から屋根裏空間３に排出されて、ダクト１１ａを通じて、放出口１１から屋外に排出される。
このように、浄化された空気の通流によって、住宅１内の換気が行われ、住宅内環境の維持・浄化を図ることができる。
【００５９】
なお、本実施の形態に係る住宅換気システムを備えた住宅１に、次のような構成を付加することもできる。
【００６０】
例えば、一階床下空間２内に、送気手段であるファン１６を設けることができる。ファン１６を設けることで、外気が強制的に床下空間２内に供給されるとともに、この一階床下空間２内の外気が、一階床下空間２から一階居室５へ強制的に供給される。これにより、前述の自然対流現象を利用する場合に比べ、より短時間で住宅１内の空気の入れ換えができるので、住宅内環境の浄化がより効果的に行える。
【００６１】
このファン１６を設ける位置は、一階床下空間２に限定されるものではなく、例えば、屋根裏空間３内に設け、住宅１内の空気を強制的に屋外に排出する構成や、一階床下空間２及び屋根裏空間３の両方に設ける構成とすることもできる。
【００６２】
なお、ファン１６を設けた構成において、ダクト１１ａの放出口１１付近に、ダクト１１ａから住宅１の外に放出される空気に含まれる揮発性化学物質の濃度、粉塵の量を検出するセンサや、放出される気体の温度、湿度、風量を検出するセンサなどの適当な検出手段１７を設け、これらのセンサにより検出された結果に基づいて、ファン１６の稼動、非稼動を決定する構成とすることもできる。この場合、住宅１内の換気を必要に応じて、効果的に行うことができる。
【００６３】
また、例えば、一階床下空間２内に加熱手段であるヒータ１８を設けることもできる。ヒータ１８を設けることで、一階床下空間２内に導かれた外気を暖めることができる。暖められた外気は膨張し、軽くなり、住宅内に上昇気流が発生する。そのため、住宅１内の換気をより効果的に促進することができる。
また、冬季には、ヒータ１８により暖めた外気を一階床下空間２から一階居室５，５ａ，５ｂ、二階居室６，６ａ，６ｂ及び竪穴部４内に供給できるので、暖房の補助となり、暖房のために使用するエネルギーの消費量を抑えられる。
【００６４】
〔第２の実施の形態〕
次に、本発明の第２の実施の形態に係る住宅内換気システムについて、図４を参照して説明する。参照する図面において、図４は、第２の実施の形態に係る住宅内換気システムを備えた住宅の概略構成図である。
【００６５】
図４に示すように、住宅内換気システムを備えた住宅（以下、「住宅」という）１’は、一階床下空間２と、導入した外気を屋根裏空間３に導く通流経路を形成する竪穴部４と、竪穴部３に隣接する一階居室５及び二階居室６と、外気を導入するための外気導入口１０とを主に備えている。
【００６６】
一階床下空間２内には、導入した外気を浄化するための外気浄化部２０が配置されている。外気浄化部２０は、鉄筋コンクリート製のべた基礎、及びべた基礎から立ち上がる側壁２０ａで側方及び下方を囲まれた空間に、多孔質吸着材８ｂを充填し、その上を蓋２０ｂで覆うように形成されている。
【００６７】
蓋２０ｂには、木材以外の材質を用いる。一階床下空間２内で用いる木材には、シロアリ駆除のための薬剤等を含浸する必要があり、これに触れることで空気を新たに汚染させることがないようにするためである。但し、蓋２０ｂの材質は特に限定されるものではなく、適宜変更可能である。例えば、耐火ボード、ケイカル板、フレキシブルボードなどの防火板を好適に用いることができる。
【００６８】
外気浄化部２０には、側壁２０ａを貫通して、外気導入口１０に通じる配管２１と、一階居室５に設けられる給気口１２に通じる配管２２が接続されている。外気導入口１０から導入される外気は、配管２１を介して、外気浄化部２０内に直接導入された後、浄化された空気として、配管２２を介して、一階居室５に供給される。
【００６９】
なお、多孔質吸着材８ｂは、前記のように形成された空間内に、直接充填してもよいし、第１の実施の形態で説明した風袋８ａに充填して、ステープル等で固定するようにしてもよい。また、多孔質吸着材８ｂは、その効果を最大限に発揮すべく、空間全体に充填するものであってもよいし、コストダウンを図るべく、空間の一部のみに充填するものであってもよい。
【００７０】
従って、外気は、一階床下空間２内に面する木材等の部材や一階床下空間２内の空気に直接触れることがなく、一階床下空間２内で新たに汚染されずに一階居室５に供給される。特に、木材には、シロアリ駆除等のための様々な薬剤が含浸されているため、これに触れないようにすることは好ましい。なお、一階居室５からの空気の通流経路は前記した第１の実施の形態と同様であるので、説明を省略する。
このように、浄化された空気の通流によって、住宅１’内の換気が行われ、住宅内環境の維持・浄化を図ることができる。
【００７１】
なお、配管２１にファン１６を取り付けると、強制的に外気浄化部２０に外気を導入することができ、浄化された空気として、一階居室５内に強制的に供給できる。これによって、短時間で住宅内の換気を行うことができるので、住宅内環境の浄化がより効果的に行える。
【００７２】
また、外気浄化部２０の内部に、ヒータ１８を設けることもできる。ヒータ１８を設けることで、外気浄化部２０内に導かれた外気を暖めることができる。暖められた外気は膨張し、軽くなり、住宅内に上昇気流が発生する。そのため、住宅１’内の換気をより効果的に促進することができる。また、冬季には、暖めた外気を住宅内に供給できるので、暖房の補助となり、暖房のために使用するエネルギーの消費量を抑えられる。
【００７３】
さらに、竪穴部４から屋根裏空間３に連通する通路に、外気浄化部８を設けると、多孔質吸着材８ｂの種々の機能により、住宅内環境を向上させることができる。具体的には、湿度調節機能があることで、湿度が高い場合等、住宅内空間の除湿を行うことができ、結露、カビ等を効果的に防止できる。
【００７４】
以上、第２の実施の形態に係る住宅内環境浄化システムについて説明したが、外気浄化部２０は、以下のように変形して実施することもできる。
図５は、外気浄化部の変形例であり、図６は箱体の斜視図である。
図５に示すとおり、外気浄化部２３は、側壁２０ａと蓋２０ｂで形成される空間内に、箱体２４を備える。箱体２４は上部に開口部２４ａを有しており、その内部に多孔質吸着材８ｂを充填されている（図６参照）。また、側壁２０ａには前記同様、一階居室５に設けられる給気口に連通する配管２２が接続されている。
【００７５】
外気導入口１０に通じる配管２５は、側壁２０ａを貫通して、箱体２４に接続される。こうすることによって、屋外から導入される外気は、箱体２４の内部まで直接導かれて、多孔質吸着材８ｂの作用によって、浄化される。この浄化された空気は、箱体２４の開口部２４ａから配管２２を通じて、一階居室５内に供給される。
【００７６】
従って、空気は、一階床下空間２内に面する木材等の部材や一階床下空間２内の空気に直接触れることがなく、一階床下空間２内での新たな汚染を防止できる。また、外気浄化部２３の内部に、直接多孔質吸着材８ｂを充填するのではなく、多孔質吸着材８ｂを充填した箱体２４を用いるため、外気浄化部２３の内部のレイアウトを容易に変更することができる。そのため、外気浄化部２３内において、ヒータ１８等の配置が容易にできる。さらに、箱体２４はコンパクトに形成されているため、取換え等も容易に行える。
【００７７】
なお、この箱体２４を、住宅内に配置することで、箱体２４に充填された多孔質吸着材８ｂの種々の機能によって、住宅内環境を向上させることができる。例えば、竪穴部４から屋根裏空間３に連通する通路付近に箱体２４を設けることで、湿度が高い場合、多孔質吸着材８ｂが住宅内の除湿を行い、結露、カビ等を効果的に防止できる。
【００７８】
以上、本実施の形態に係る住宅内換気システムの好ましい態様を説明したが、本発明はこれに限定されるものではない。例えば、本実施の形態では、二階建て住宅に適用した場合を説明したが、本発明に係る住宅内換気システムは、二階建て以上（例えば、三階建て、四階建て）の建物にも適用することができる。
【００７９】
【発明の効果】
本発明に係る住宅内換気システムでは、外気は、住宅内に導入されて、外気浄化部を通過した後に、一階居室内等に供給される。この外気浄化部には、多孔質吸着材が充填されており、外気に含まれる有害物質等がこの多孔質吸着材に吸着されるので、大気汚染物質（有害物質）が除去された後の外気が、住宅内空間に導かれ、住宅内環境の維持・浄化を図ることができる。
【００８０】
また、外気を一階床下空間内に導入して、外気浄化部で覆われた給気口を通過させ、浄化された空気として一階居室に供給するように構成すると、簡易な構成で、外気浄化部の取り付けを容易に行うことができる。
【００８１】
一方、外気を、外気浄化部に直接導入した後、浄化された空気として、一階居室に直接供給できるように配管接続すると、空気が一階床下空間内で新たに汚染されることを防止できる。そのため、住宅内環境の維持・浄化を効果的に図ることができる。
【００８２】
この際、一階床下空間又は屋根裏空間に送気手段を設けると、不純物や大気汚染物質（有害物質）が除去された後の空気が、住宅内空間に確実に供給されることになる。これにより、自然対流を利用した場合と比べて、住宅内環境の維持・浄化が、効率的に行われることになる。また、夏季には一階床下空間で冷やされた外気を住宅内空間に供給できるので、住宅内の冷房の補助とすることができる。
【００８３】
さらに、適宜加熱手段を設けると、外気を暖めることができる。暖められた外気は膨張し、軽くなって上昇気流を発生する。これにより、空気の通流を円滑にでき、住宅内の換気を効率的に行うことができる。また、冬季には、住宅内の暖房の補助とすることができる。
【図面の簡単な説明】
【図１】第１の実施の形態に係る住宅内換気システムを備えた住宅の概略構成図である。
【図２】外気浄化部の概略斜視図である。
【図３】外気浄化部の床根太への取付例である。
【図４】第２の実施の形態に係る住宅内換気システムを備えた住宅の概略構成図である。
【図５】外気浄化部の変形例を示す断面図である。
【図６】箱体の斜視図である。
【符号の説明】
１      住宅
２      一階床下空間
３      屋根裏空間
４      竪穴部
５      一階居室
６      二階居室
７      間仕切り
８，２０，２３      外気浄化部
１０    外気導入口
１１    放出口
１２，１４    給気口
１３，１５    排気口
２１，２２，２５    配管
【図１】
2004353216.tif 000003
【図２】
2004353216.tif 000004
【図３】
2004353216.tif 000005
【図４】
2004353216.tif 000006
【図５】
2004353216.tif 000007
【図６】
2004353216.tif 000008